(57)【特許請求の範囲】
【請求項１】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記判定条件は、単位時間当たりの前記心拍数の変化が所定割合以内であることを特徴とする健康管理支援装置。
【請求項２】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記判定条件は、単位時間当たりの前記心拍数の変化が所定割合以内であることを特徴とする健康管理支援装置。
【請求項３】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記判定条件は、前記車室内温度の単位時間当たりの変動が所定温度以下であることを特徴とする健康管理支援装置。
【請求項４】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記判定条件は、前記車室内温度の単位時間当たりの変動が所定温度以下であることを特徴とする健康管理支援装置。
【請求項５】
前記判定条件は、前記心拍数の変化又は前記車室内温度の単位時間当たりの変動が、所定の状態になってから１分以上経過したことを特徴とする請求項１〜４のいずれか１項に記載の健康管理支援装置。
【請求項６】
前記条件判定手段により、前記タイミングであると判定された場合には、その旨を報知することを特徴とする請求項１〜５のいずれか１項に記載の健康管理支援装置。
【請求項７】
前記条件判定手段により、前記タイミングであると判定された場合には、前記タイミングにて行うべき処理を自動的に行うことを特徴とする請求項１〜６のいずれか１項に記載の健康管理支援装置。
【請求項８】
前記判定条件として、更に、時刻、乗車してからの時間、停車してからの時間、車両挙動、及びナビゲーション情報のうち、少なくとも１種の条件を加えたことを特徴とする請求項１〜７のいずれか１項に記載の健康管理支援装置。
【請求項９】
前記判定条件は、乗車後に所定時間以上経過したことを特徴とする請求項８に記載の健康管理支援装置。
【請求項１０】
前記判定条件は、定速走行中又は停車中であることを特徴とする請求項７又は８に記載の健康管理支援装置。
【請求項１１】
前記判定条件は、前記車両挙動が、所定の状態になってから１分以上経過したことを特徴とする請求項８〜１０のいずれか１項に記載の健康管理支援装置。
【請求項１２】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
異なる時間における前記身体状態を示す身体情報が、１日につき複数記憶されるとともに、
前記複数記憶された身体情報の中で、最適と判断されるタイミングで測定された身体情報を、その日の身体情報として記憶することを特徴とする健康管理支援装置。
【請求項１３】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
異なる時間における前記身体状態を示す身体情報が、１日につき複数記憶されるとともに、
前記複数記憶された身体情報の中で、最適と判断されるタイミングで測定された身体情報を、その日の身体情報として記憶することを特徴とする健康管理支援装置。
【請求項１４】
前記最適と判断されるタイミングで測定された身体情報が複数ある場合、その複数の身体情報の平均値を、その日の身体情報として記憶することを特徴とする請求項１２又は１３に記載の健康管理支援装置。
【請求項１５】
前記タイミングを最適と判断する条件は、時刻、ナビゲーション情報、車両挙動、心拍数、及び車室内温度のうち少なくとも１種であることを特徴とする請求項１２〜１４のいずれか１項に記載の健康管理支援装置。
【請求項１６】
前記タイミングを最適と判断する条件を、以前に最適としたタイミングに合わせることを特徴とする請求項１２〜１５のいずれか１項に記載の健康管理支援装置。
【請求項１７】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記検出した身体情報を、報知手段により報知することを特徴とする健康管理支援装置。
【請求項１８】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記検出した身体情報を、報知手段により報知することを特徴とする健康管理支援装置。
【請求項１９】
前記報知手段が表示手段の場合に、表示期間を選択可能とすることを特徴とする請求項１７又は１８に記載の健康管理支援装置。
【請求項２０】
前記表示期間として、１日、１週間、１ヶ月、半年、１年、５年、及び１０年のうち、少なくとも２種の期間を選択可能としたことを特徴とする請求項１９に記載の健康管理支援装置。
【請求項２１】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記身体情報を、前記身体情報を求めた時期又は期間に応じて、集約して表示することを特徴とする健康管理支援装置。
【請求項２２】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記身体情報を、前記身体情報を求めた時期又は期間に応じて、集約して記憶することを特徴とする健康管理支援装置。
【請求項２３】
前記身体情報の集約を、曜日、平均値との差異、時刻、ナビゲーション情報、車両挙動、心拍数、及び車室内温度のうち少なくとも１種に基づいて行うことを特徴とする請求項２１又は２２に記載の健康管理支援装置。
【請求項２４】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記身体情報を表示する際に、日々の活動量を示すデータも、同時に表示することを特徴とする健康管理支援装置。
【請求項２５】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記身体情報を記憶する際に、日々の活動量を示すデータも、同時に記憶することを特徴とする健康管理支援装置。
【請求項２６】
前記日々の活動量を示すデータは、ナビゲーション情報、加速度センサによる情報、スケジュール、及び睡眠情報のうち少なくとも１種であることを特徴とする請求項２４又は２５に記載の健康管理支援装置。
【請求項２７】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
車室内で得た前記身体情報を、車室外で得た身体情報により補正することを特徴とする健康管理支援装置。
【請求項２８】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
車室内で得た前記身体情報を、車室外で得た身体情報により補正することを特徴とする健康管理支援装置。
【請求項２９】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記身体情報と、基準となる過去の所定期間の身体情報とを比較し、その比較結果に基づいて、車両の制御を行うことを特徴とする健康管理支援装置。
【請求項３０】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記身体情報と、基準となる過去の所定期間の身体情報とを比較し、その比較結果に基づいて、車両の制御を行うことを特徴とする健康管理支援装置。
【請求項３１】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記身体情報が、体温、血圧、心拍数、脈波情報、体重、血糖値、及び体脂肪のうち少なくとも１種であることを特徴とする健康管理支援装置。
【請求項３２】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記身体情報が、体温、血圧、心拍数、脈波情報、体重、血糖値、及び体脂肪のうち少なくとも１種であることを特徴とする健康管理支援装置。
【請求項３３】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記身体情報の検出、記憶、及び報知のうち少なくとも１種の処理を、複数の乗員に対して行うことを特徴とする健康管理支援装置。
【請求項３４】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記身体情報の検出、記憶、及び報知のうち少なくとも１種の処理を、複数の乗員に対して行うことを特徴とする健康管理支援装置。
【請求項３５】
検出手段により、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記判定条件を、マニュアルにて変更可能としたことを特徴とする健康管理支援装置。
【請求項３６】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記判定条件を、マニュアルにて変更可能としたことを特徴とする健康管理支援装置。
【請求項３７】
検出手段より、車両に搭乗した被測定者の身体状態を身体情報として検出する健康管理支援装置において、
所定の判定条件に基づいて、前記検出手段によって前記被測定者の身体情報を検出するタイミングか否かを判断する条件判定手段を備え、
前記判定条件は、ナビゲーション情報であり、該ナビゲーション情報を、いくつかの属性で区別したことを特徴とする健康管理支援装置。
【請求項３８】
検出手段により、車両に搭乗した被測定者の身体状態を身体情報として検出し、該検出した身体情報を記憶手段に記憶する健康管理支援装置において、
所定の判定条件に基づいて、前記検出手段によって検出した前記被測定者の身体情報を前記記憶手段に記憶するタイミングか否かを判断する条件判定手段を備え、
前記判定条件は、ナビゲーション情報であり、該ナビゲーション情報を、いくつかの属性で区別したことを特徴とする健康管理支援装置。
【請求項３９】
前記属性を、自宅、職場、ショッピングセンター、レストラン、スポーツジム、高速道路、幹線道路、市街地、病院、及びユーザ設定場所のうち少なくとも２種の属性に区分したことを特徴とする請求項３７又は３８に記載した健康管理支援装置。
【請求項４０】
前記請求項１〜３９のいずれか１項に記載した健康管理支援装置と、前記身体情報を検出する検出手段及び前記身体情報を記録する記録手段のうち少なくとも検出手段を、備えたことを特徴とする健康管理支援装置システム。
【発明の詳細な説明】
【技術分野】
【０００１】
本発明は、自動車等の車両を利用して健康管理等に有用な身体情報を得ることができ、必要に応じて健康管理等に有用な情報を報知することができる健康管理支援装置及び健康管理システムに関する。
【背景技術】
【０００２】
自動車の機能の進展に伴い、車室内で生体（搭乗者：被測定者）をモニタする技術や、健康を管理する技術が提案されている（特許文献１参照）。
この技術では、自動車を測定装置として用いることにより、日頃から自動車を使用する被測定者にとっては、日々の健康管理が容易になる。
【特許文献１】特開２００５−１６８９０８号公報
【発明の開示】
【発明が解決しようとする課題】
【０００３】
しかし、これらの従来技術では、例えば車に乗ってすぐに被測定者の状態を測定した場合には、歩いている状態や走っている状態から短時間で着座の状態に変化するため、心拍数や血圧値が安静状態（即ち、外乱が少なく通常の身体状態の測定に適した状態）と異なるという問題があった。
【０００４】
また、例えば冬場においては、車室温が非常に下がっているため、乗車してすぐに測定した場合には、室温による影響が大きく、健康管理に有効な正確な身体情報が得られないという問題があった。
【０００５】
更に、運転中に身体状態を測定する場合には、運転操作、緊張、感情などにより、血圧値、心拍数に乱れが生じ（即ち、運転動作に起因する外乱が大きくなり）、よって、それらを身体情報として記憶した場合には、ばらつきが大きくなって、正確な情報とは言えないことがあるという問題があった。
【０００６】
そのため、車両に乗車した際に日々測定した身体情報を、そのまま健康管理に活用することは困難であった。
本発明は、上記問題点を解決するためになされたものであり、自動車の車室内等において、健康管理等に有用な被測定者の正確な身体情報を取得することができる健康管理支援装置及び健康管理支援システムを提供することを目的とする。
【課題を解決するための手段】
【０００７】
（１）請求項１の発明では、検出手段（各種のセンサ等）により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、判定条件は、単位時間当たりの心拍数の変化が所定割合以内である。
【０００８】
本発明では、身体情報を検出するのに適したタイミング（例えば運転動作等の外乱による影響が少なくできるだけ安静な状態）かどうかを、例えば所定の判定条件が満たされたかどうか（例えば後述する様に心拍数等が落ち着いた状態かどうか）によって判定するので、健康管理に必要な身体情報のばらつきが小さく、その精度が高いという効果がある。
また、本発明では、単位時間（例えば１分）当たりの心拍数の変化が所定割合（例えば５％）以内となった場合に身体情報を検出するので、より安静に近い状態での処理が可能となり、身体情報の信頼性が向上する。
【０００９】
尚、身体情報を検出するのに適したタイミングであると判断された場合には、身体情報を検出する処理を行うことにより、精度の高い身体情報を得ることができる。また、その検出によって得られた情報は、例えば車両内の記憶手段に記憶されたり、車両外のサーバ等にインターネットなどを介して通信される。
【００１０】
（２）請求項２の発明は、検出手段（各種のセンサ等）により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、判定条件は、単位時間当たりの心拍数の変化が所定割合以内である。
【００１１】
本発明では、身体情報を記憶するのに適したタイミング（例えば外乱による影響が少なくできるだけ安静な状態）かどうかを、例えば所定の判定条件が満たされたかどうか（例えば後述する様に心拍数等が落ち着いた状態かどうか）によって判定するので、記憶手段に記憶される健康管理に必要な身体情報のばらつきが小さく、その精度が高いという効果がある。
また、本発明では、単位時間（例えば１分）当たりの心拍数の変化が所定割合（例えば５％）以内となった場合に身体情報を記憶するので、より安静に近い状態での処理が可能となり、身体情報の信頼性が向上する。
【００１２】
尚、本発明では、記憶時以外にも、身体情報を検出する処理を行い、身体情報を記憶するのに適したタイミングであると判断された場合には、そのタイミングにおける身体情報を記憶手段に記憶することができる。
【００１３】
（３）請求項３の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、判定条件は、車室内温度の単位時間当たりの変動が所定温度以下である。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、車室内温度の単位時間（例えば１分）当たりの変動が所定温度（例えば１℃）以下となった場合に身体情報を検出するので、より安静に近い状態での処理が可能となり、身体情報の信頼性が向上する。
（４）請求項４の発明は、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、判定条件は、車室内温度の単位時間当たりの変動が所定温度以下である。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、車室内温度の単位時間（例えば１分）当たりの変動が所定温度（例えば１℃）以下となった場合に身体情報を記憶するので、より安静に近い状態での処理が可能となり、身体情報の信頼性が向上する。
（５）請求項５の発明では、判定条件は、心拍数の変化又は車室内温度の単位時間当たりの変動が、所定の状態になってから１分以上経過したことである。
本発明では、心拍数の変化又は車室内温度の単位時間当たりの変動が、所定の状態になってから１分以上経過した場合に、身体情報を検出又は記憶するので、より安静に近い状態での処理が可能となり、身体情報の信頼性が向上する。
（６）請求項６の発明では、条件判定手段により、前記タイミングであると判定された場合には、その旨を報知する。
本発明では、身体情報の検出又は記憶の処理を行うタイミングであると判定された場合には、その旨を、例えばモニタ（ディスプレイ）に表示したり、スピーカにて音や音声で報知する。よって、被測定者は、その報知を受けて、最適なタイミングで例えばマニュアルにて身体情報の検出又は記憶の処理を指示することができる。
【００１４】
（７）請求項７の発明では、条件判定手段により、前記タイミングであると判定された場合には、前記タイミングにて行うべき処理を自動的に行う。
本発明では、身体情報の検出又は記憶の処理を行うタイミングであると判定された場合には、その処理を自動的に行うので、マニュアル操作の様な手間が不要という利点がある。
【００１５】
（８）請求項８の発明では、判定条件は、時刻、乗車してからの時間、停車してからの時間、心拍数、車両挙動、車室内温度、及びナビゲーション情報のうち、少なくとも１種である。
【００１６】
本発明は、身体情報の検出又は記憶の処理を行うタイミングを判定する判定条件を例示したものである。これにより、測定に望ましい状態（外乱が少なくできるだけ安静に近い状態）での身体情報を検出又は記憶することができる。尚、条件は複数組み合わせることができる。
【００１７】
・時刻を考慮すること、例えば所定の決まった時間（従って期間）に測定することにより、サーカディアンリズム（日内変動）の影響を低減することができる。
・乗車してからの時間や停車してからの時間を考慮することにより、安静状態に近づけることができる。つまり、（例えば車両挙動等の影響が小さい場合には）乗車してから所定の時間が経過した方が、また、停車してから所定の時間が経過した方が、心拍数等の身体状態の変動が少なく、安定した状態になると考えられるからである。
【００１８】
・心拍数の変化を見ることで、身体の活動状態が分かるので、例えば心拍数の変動が少なくなったタイミングで測定を行うことにより、外乱の影響を排除することができる。
・車両の加減速や旋回等の車両挙動が大きいと、加減速による前後Ｇや旋回による横Ｇにより、人体内の血液の流れが影響を受けるために、血圧などの測定が影響をうけるので、測定結果にばらつきが生じる。そのため、車両挙動を考慮することにより（例えば車両挙動の変化が少ないときに測定することにより）、安静に近い状態での身体状態の検出が可能となる。
【００１９】
・車室内温度が変化した場合も、心拍数等の身体状態に変化があると考えられるので、車室内温度を考慮することにより（例えば車室内温度の変化が少ないときに測定することにより）、安静に近い状態での身体状態の検出が可能となる。
【００２０】
・家を出たところや会社を出たところ等をナビゲーション情報から得ることにより、同じ条件での測定が可能になる。よって、外乱（環境の変化等）の影響を低減できるので、身体情報の信頼性が向上する。
【００２１】
（９）請求項９の発明では、判定条件は、乗車後に所定時間以上経過したことである。
本発明では、乗車後例えば３分以上経過した場合に身体情報を検出又は記憶するので、より安静に近い状態での処理が可能となり、身体情報の信頼性が向上する。
【００２３】
（１０）請求項１０の発明では、判定条件は、定速走行中又は停車中であることである。
本発明では、定速走行中又は停車中の場合に身体情報を検出又は記憶するので、より安静に近い状態での処理が可能となり、身体情報の信頼性が向上する。
【００２４】
尚、安静に近い状態は、停車中＞走行中であり、走行中においては、定速走行中＞加減速中、直進走行中＞旋回中であると考えられる。
【００２６】
（１１）請求項１１の発明では、判定条件は、心拍数、車室内温度、及び車両挙動の少なくとも１種が、所定の状態になってから１分以上経過したことである。
本発明では、心拍数、車室内温度、及び車両挙動の少なくとも１種が、所定の状態になってから１分以上経過した場合に、身体情報を検出又は記憶するので、より安静に近い状態での処理が可能となり、身体情報の信頼性が向上する。
【００２７】
（１２）請求項１２の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、異なる時間における身体状態を示す身体情報が、１日につき複数記憶されるとともに、複数記憶された身体情報の中で、最適と判断されるタイミングで測定された身体情報を、その日の身体情報として記憶する。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、異なる時間における身体状態を示す身体情報が、１日につき複数記憶されるので、信頼性の高いデータを多く集めることができる。
更に、本発明では、複数記憶された身体情報の中で、最適と判断されるタイミングで測定された身体情報を、その日の身体情報として記憶する。つまり、１日において、例えばＴ１、Ｔ２の２種のタイミングで身体情報を測定した場合、タイミングの好適な順番がＴ１＞Ｔ２のときには、Ｔ１のタイミングにおける情報を、その日の身体情報として記憶する。これにより、身体情報の精度を向上することができる。尚、Ｔ２のタイミングにおける情報しかない場合は、Ｔ２のタイミングにおける情報を、その日の身体情報として記憶する。
【００２８】
（１３）請求項１３の発明では、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、異なる時間における身体状態を示す身体情報が、１日につき複数記憶されるとともに、複数記憶された身体情報の中で、最適と判断されるタイミングで測定された身体情報を、その日の身体情報として記憶する。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、異なる時間における身体状態を示す身体情報が、１日につき複数記憶されるので、信頼性の高いデータを多く集めることができる。
更に、本発明では、複数記憶された身体情報の中で、最適と判断されるタイミングで測定された身体情報を、その日の身体情報として記憶する。つまり、１日において、例えばＴ１、Ｔ２の２種のタイミングで身体情報を測定した場合、タイミングの好適な順番がＴ１＞Ｔ２のときには、Ｔ１のタイミングにおける情報を、その日の身体情報として記憶する。これにより、身体情報の精度を向上することができる。尚、Ｔ２のタイミングにおける情報しかない場合は、Ｔ２のタイミングにおける情報を、その日の身体情報として記憶する。
【００２９】
（１４）請求項１４の発明では、最適と判断されるタイミングで測定された身体情報が複数ある場合、その複数の身体情報の平均値を、その日の身体情報として記憶する。
例えば前記Ｔ１（最適なタイミング）を午前中とした場合に、午前中に複数の情報が得られたときには、その平均値を、その日の身体情報として記憶する。これにより、身体情報の精度を向上することができる。
【００３０】
（１５）請求項１５の発明では、タイミングを最適と判断する条件は、時刻、ナビゲーション情報、車両挙動、心拍数、及び車室内温度のうち少なくとも１種である。
【００３１】
本発明は、タイミングを最適と判断する条件を例示したものであり、その条件は複数組み合わせることができる。
・時刻の場合、例えば日常の計測により、そのドライバの状態が安定していると推測される時刻（従って期間）が分かった場合には、その時刻（期間）を最適であるとして選択する。
【００３２】
・ナビゲーション情報の場合、家に近い場合や道路が太い場合は、そうでない場合と比べて最適（身体情報を得る状態として好ましい状態）であるとみなすことができる。
・車両挙動の場合、停車時＞定速走行中＞加減速中又は旋回中の順で、最適と見なすことができる。
【００３３】
・心拍数や車室内温度は、所定の変動の範囲内である場合には、そうでない場合と比べて最適とみなすことができる。
（１６）請求項１６の発明では、タイミングを最適と判断する条件を、以前に最適としたタイミングに合わせる。
【００３４】
本発明では、最適と判断されるタイミングを、以前に測定した身体情報の測定時刻（期間）や測定環境（例えばナビゲーション情報の位置情報など）等を基準に選択することができるので、測定精度が向上する。
【００３５】
例えば「午前中に測定」等の緩やかな条件に設定していた場合に、自宅付近では心拍数が安定して測定されている日数が多いときには、自宅付近での測定を最適なタイミングとして採用することなどが考えられる。
【００３６】
（１７）請求項１７の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、検出した身体情報を、報知手段（例えばモニタやスピーカ）により報知する。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、被測定者等は、モニタやスピーカにより身体情報を知ることができるので、その報知内容に応じて、適切な対応（例えば健康診断を受ける等）をとることができる。
（１８）請求項１８の発明では、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、検出した身体情報を、報知手段により報知する。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、被測定者等は、モニタやスピーカにより身体情報を知ることができるので、その報知内容に応じて、適切な対応をとることができる。
【００３７】
（１９）請求項１９の発明では、報知手段が表示手段の場合に、表示期間を選択可能とする。
本発明では、表示手段をマニュアルにて選択可能であるので、最適な表示を選択することができる。
【００３８】
（２０）請求項２０の発明では、表示期間として、１日、１週間、１ヶ月、半年、１年、５年、及び１０年のうち、少なくとも２種の期間を選択可能とした。
本発明では、複数の期間における身体情報を表示できるので、長いスパンにおける変化や短いスパンにおける変化が容易に分かり、身体情報をより的確に把握することができる。
【００３９】
（２１）請求項２１の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、身体情報を、身体情報を求めた時期又は期間に応じて、集約して表示する。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
【００４０】
また、例えば身体情報を求めた時期が１年より前のような古くなった場合又は期間が１年間のような長いスパンで有る場合、つまり、身体情報を求めた時期が古くなった場合や長い期間の場合には、全てのデータを表示しても、かえって分かり難いことがある。その様な場合には、本発明の様に、例えば１月毎の平均データの様にデータを集約して表示するようにすれば、古いデータや長期間に亘るデータを要領よく表示することができる。
（２２）請求項２２の発明では、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、身体情報を、身体情報を求めた時期又は期間に応じて、集約して記憶する。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、身体情報を求めた時期が古くなった場合や長い期間の場合には、全てのデータを記憶すると、データの記憶領域が大きくなり、データ処理の負担も大きくなる。その様な場合には、本発明の様に、例えば１月毎の平均データの様にデータを集約して記憶するようにすれば、古いデータや長期間に亘るデータを要領よく記憶することができる。
【００４１】
尚、請求項２１、２２で、「集約」とは、データを全部表示又は記憶するのではなく、例えば平均値等の代表値や選択されたデータ等を採用するなどにより、そのデータの一部（又は処理したデータ）を表示又は記憶したりすることである。
【００４２】
（２３）請求項２３の発明では、身体情報の集約を、曜日、平均値との差異、時刻、ナビゲーション情報、車両挙動、心拍数、及び車室内温度のうち少なくとも１種に基づいて行う。
【００４３】
本発明は、身体情報の集約方法を例示したものである。
・曜日で集約する場合には、同じ様な状況と考えられる、例えば月〜金のデータを集約（例えば平均）する方法が考えられる。
【００４４】
・平均値との差異で集約する場合には、差異が所定値より大きな場合には、異常値として排除し、所定内のデータのみで集約（例えば平均化）することが考えられる。
・時刻で集約する場合には、同じ様な状況と考えられる、例えば午前中のデータを集約（例えば平均）する方法が考えられる。
【００４５】
・ナビゲーション情報で集約する場合には、同じ様な状況と考えられる、例えば同様な場所や同様な種類の道路におけるデータを集約（例えば平均）する方法が考えられる。
・車両挙動で集約する場合には、同じ様な状況と考えられる、例えば定速走行中のデータを集約（例えば平均）する方法が考えられる。
【００４６】
・心拍数で集約する場合には、停車中と運転中では、それぞれの状態においては同じ様な状況と考えられるので、例えば心拍数が高い運転中のデータをカットし、残りのデータを集約（例えば平均）する方法が考えられる。
【００４７】
・車室内温度で集約する場合には、同じ様な状況と考えられる所定温度範囲におけるデータを集約（例えば平均）する方法が考えられる。
（２４）請求項２４の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、身体情報を表示する際に、日々の活動量を示すデータも、同時に表示する。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
【００４８】
また、本発明では、例えば身体に装着した加速度センサや（例えば職場にいる時間やスポーツジムにいる時間等を示す）スケジュールなどにより、日々の活動量が分かる場合には、そのデータも合わせて表示する。
【００４９】
つまり、身体情報を表示する際に、活動量を示すことにより、測定した身体情報の意味が理解しやすくなるので好適である。例えば血圧が高めに表示された場合に、それが活動量が多い期間であれば理解できるが、活動量が低い期間であれば、身体に何からの原因があると推定することも可能である。
（２５）請求項２５の発明は、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、身体情報を記憶する際に、日々の活動量を示すデータも、同時に記憶する。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、例えば身体に装着した加速度センサや（例えば職場にいる時間やスポーツジムにいる時間等を示す）スケジュールなどにより、日々の活動量が分かる場合には、そのデータも合わせて記憶する。
【００５０】
尚、請求項２４、２５の活動量としては、身体が所定以上動いている時間で表現することができる。例えば睡眠や休息している時間ではなく、仕事や歩行などで活動している時間で表現することができる。
【００５１】
（２６）請求項２６の発明では、日々の活動量を示すデータは、ナビゲーション情報、加速度センサによる情報、スケジュール、及び睡眠情報のうち少なくとも１種である。
【００５２】
本発明は、日々の活動量を示すデータを例示したものである。
・ナビゲーション情報として、例えば会社にいる時間が長い場合には、活動量が多いと推定できる。
【００５３】
・身体に装着した加速度センサにより、加速度が大きい場合には、活動量が多いと推定できる。
・スケジュールから、例えばスポーツジムにいる時間が長い場合には、活動量が多いと推定できる。
【００５４】
・睡眠情報としては、例えば睡眠時間が長い場合には、活動量が少ないと推定できる。
（２７）請求項２７の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、車室内で得た身体情報を、車室外で得た身体情報により補正する。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
【００５５】
また、車両に搭乗中の例えば心拍数や血圧のデータは、安静時に検出したデータと異なることがあるので、本発明では、安静時のデータを利用して車両に搭乗中のデータを補正する。例えば心拍数や血圧等のデータを所定割合減ずる。これにより、車両に搭乗中のデータを利用して、精度良く身体状態を把握することができる。
（２８）請求項２８の発明は、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、車室内で得た身体情報を、車室外で得た身体情報により補正する。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、安静時のデータを利用して車両に搭乗中のデータを補正する。例えば心拍数や血圧等のデータを所定割合減ずる。これにより、車両に搭乗中のデータを利用して、精度良く身体状態を把握することができる。
【００５６】
（２９）請求項２９の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、身体情報と、基準となる過去の所定期間の身体情報とを比較し、その比較結果に基づいて、車両の制御を行う。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、例えば車両の搭乗中に得られた身体情報が過去の身体情報と比べて異常である場合には、速度を制限したり制動性能を高める等の安全性を高めるような制御を行う。
（３０）請求項３０の発明は、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、身体情報と、基準となる過去の所定期間の身体情報とを比較し、その比較結果に基づいて、車両の制御を行う。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、例えば車両の搭乗中に得られた身体情報が過去の身体情報と比べて異常である場合には、速度を制限したり制動性能を高める等の安全性を高めるような制御を行う。
【００５７】
（３１）請求項３１の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、身体情報が、体温、血圧、心拍数、脈波情報、体重、血糖値、及び体脂肪のうち少なくとも１種である。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、身体情報を例示している。
（３２）請求項３２の発明は、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、身体情報が、体温、血圧、心拍数、脈波情報、体重、血糖値、及び体脂肪のうち少なくとも１種である。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、身体情報を例示している。
なお、請求項３１、３２の身体情報は、下記のようにして求めることができる。
【００５８】
・体温は、赤外線を利用した非接触のサーモセンサ等を用いて検出することができる。
・血圧は、ＰＷＶ（脈波伝播速度）と脈波情報により推定される。ＰＷＶは、心電センサと（腕や指等に装着した）脈波センサを用いて、心拍の伝播の速度より求められ、血圧と関連する量である。脈波情報は、脈波センサにより計測された脈波波形を解析することにより求められる。
【００５９】
・心拍数は、心電センサや脈波センサにより求めることができる。
・脈波情報（脈拍数、血管年齢等）は、脈波センサにより求めることができる。
・体重は、シートセンサ等により求めることができる。
【００６０】
・血糖値は、例えば指等に針を刺して僅かに血液を採集し、その血液から自動的に求めることができる。
・体脂肪は、例えばステアリングに装着した一対の電極に接続された体脂肪計により、求めることができる。
【００６１】
（３３）請求項３３の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、身体情報の検出、記憶、及び報知のうち少なくとも１種の処理を、複数の乗員に対して行う。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、身体情報の処理の対象を例示しており、運転者に限らず、他の搭乗者にも適用できる。
（３４）請求項３４の発明では、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、身体情報の検出、記憶、及び報知のうち少なくとも１種の処理を、複数の乗員に対して行う。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、身体情報の処理の対象を例示しており、運転者に限らず、他の搭乗者にも適用できる。
【００６２】
（３５）請求項３５の発明では、検出手段により、車両に搭乗した被測定者の身体状態を身体情報として検出する健康管理支援装置において、所定の判定条件に基づいて、検出手段によって被測定者の身体情報を検出するタイミングか否かを判断する条件判定手段を備え、判定条件を、マニュアルにて変更可能とした。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明により、各個人により好適に対応でき、利用勝手が向上する。
（３６）請求項３６の発明では、検出手段により、車両に搭乗した被測定者の身体状態を身体情報として検出し、検出した身体情報を記憶手段に記憶する健康管理支援装置において、所定の判定条件に基づいて、検出手段によって検出した被測定者の身体情報を記憶手段に記憶するタイミングか否かを判断する条件判定手段を備え、判定条件を、マニュアルにて変更可能とした。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明により、各個人により好適に対応でき、利用勝手が向上する。
【００６３】
（３７）請求項３７の発明では、検出手段より、車両に搭乗した被測定者の身体状態を身体情報として検出する健康管理支援装置において、所定の判定条件に基づいて、前記検出手段によって前記被測定者の身体情報を検出するタイミングか否かを判断する条件判定手段を備え、判定条件は、ナビゲーション情報であり、ナビゲーション情報を、いくつかの属性で区別した。
本発明では、身体情報を検出するのに適したタイミングかどうかを、例えば所定の判定条件が満たされたかどうかによって判定するので、健康管理に必要な身体情報のばらつきが小さく、その精度が高いという効果がある。
また、本発明では、判定条件としたナビゲーション情報を、いくつかの属性（種類）で区分することにより、どの属性での身体情報かわかるので、身体情報の意味することの理解が容易になり、その信頼性が向上する。
【００６４】
例えば頻繁に通過する道路（例えば高速道路）を示す属性である場合には、その場所で測定した身体情報の信頼性が向上すると考えられる。
（３８）請求項３８の発明では、検出手段により、車両に搭乗した被測定者の身体状態を身体情報として検出し、検出した身体情報を記憶手段に記憶する健康管理支援装置において、所定の判定条件に基づいて、前記検出手段によって検出した前記被測定者の身体情報を前記記憶手段に記憶するタイミングか否かを判断する条件判定手段を備え、判定条件は、ナビゲーション情報であり、ナビゲーション情報を、いくつかの属性で区別した。
本発明では、身体情報を記憶するのに適したタイミングかどうかを、例えば所定の判定条件が満たされたかどうかによって判定するので、記憶手段に記憶される健康管理に必要な身体情報のばらつきが小さく、その精度が高いという効果がある。
また、本発明では、判定条件としたナビゲーション情報を、いくつかの属性（種類）で区分することにより、どの属性での身体情報かわかるので、身体情報の意味することの理解が容易になり、その信頼性が向上する。
例えば頻繁に通過する道路（例えば高速道路）を示す属性である場合には、その場所で測定した身体情報の信頼性が向上すると考えられる。
（３９）請求項３９の発明では、属性を、自宅、職場、ショッピングセンター、レストラン、スポーツジム、高速道路、幹線道路、市街地、病院、及びユーザ設定場所のうち少なくとも２種の属性に区分した。
【００６５】
本発明は、ナビゲーション情報の属性を例示したものである。尚、この属性に重み付けすることにより、身体情報の精度を高めることができる。例えば自宅とスポーツジムとでは、通常、血圧や心拍数が異なるので、この属性の違いにより身体情報を補正することが可能である。
【００６６】
（４０）請求項４０の発明は、請求項１〜３９のいずれか１項に記載した健康管理支援装置と、身体情報を検出する検出手段及び身体情報を記録する記録手段のうち少なくとも検出手段を、備えたことを特徴とする健康管理支援装置システムである。
【００６７】
従って、この健康管理支援装置システムを搭載した車両により、好適なタイミングで、身体情報を測定して、健康管理に役立てることができる。
【発明を実施するための最良の形態】
【００６８】
以下に本発明の実施形態の例（実施例１）を図面と共に説明する。
【実施例１】
【００６９】
ａ）まず、健康管理支援システムの全体構成及びその周辺装置について説明する。
図１は、本発明が適用された健康管理支援システムの全体構成等を示す説明図である。
図１に示すように、本実施例は、車両に搭載される健康管理支援システムであり、車両に搭乗した運転者等の被測定者の身体状態を身体情報として検出する各種の健康管理用センサ１と、健康管理用センサ１により検出された身体情報に基づいて被測定者の健康管理の支援のための演算等の処理を行う健康管理支援装置３と、健康管理用センサ１により検出された身体情報等を報知するための表示装置（モニタ）５及びスピーカ７とを備えている。
【００７０】
またこれとは別に、車両を制御するために、車両の状態を検出する各種の車両制御用センサ９と、車両制御用センサ９により検出された車両情報等に基づいて車両の制御を行う車両制御装置１１と、車両制御用センサ１１により検出された車両情報等に基づいて車両の制御を行う各種のアクチュエータ１２（図３参照）とを備えている。
【００７１】
更に、車両には、ナビゲーション装置１３が搭載されており、このナビゲーション装置１３は、モニタ５及びスピーカ７に接続されている。
尚、健康管理支援装置３、車両制御装置１１、ナビゲーション装置１３は、それぞれ互いに接続されており、必要な情報の送受信が可能である。
【００７２】
図２に示す様に、前記健康管理支援装置３は、マイクロコンピュータを主要部とする電子制御装置であり、周知のＲＯＭ３ａ、ＲＡＭ３ｂ、ＣＰＵ３ｃ、入出力部３ｄ等を備えるとともに、データの書き換えが可能で且つ電源オフ時でもデータを保持可能な不揮発性メモリ（例えばＥＥＰＲＯＭ１１ｅ）を備えている。入出力部３ｄには、各種の健康管理用センサ１、モニタ５、スピーカ７が接続されている。尚、この健康管理支援装置３は、周知の無線による通信回線などを介してサーバ（図示せず）と交信して、健康管理に必要な情報の送受信が可能である。
【００７３】
前記健康管理用センサ１としては、例えばステアリング１５に設置された一対の電極１７ａ、１７ｂ（図１参照）を利用して心拍数等を検出する心電センサ１ａ、被測定者の腕等に装着されて脈波等を検出する脈波センサ１ｂ、車室内の温度や被測定者の体温を（赤外線を利用し）非接触にて検知できる温度センサ１ｃ、被測定者の着座の有無やシート１９（図１参照）に加わる圧力を検出するシートセンサ１ｄ等が挙げられる。
【００７４】
尚、電極１７ａ、１７ｂを利用して、体脂肪率の測定も可能である。また、脈波センサ１ｂと健康管理支援装置３とは、無線にて情報等の送受信が可能である。
一方、図３に示す様に、前記車両制御装置１１も、マイクロコンピュータを主要部とする電子制御装置であり、周知のＲＯＭ１１ａ、ＲＡＭ１１ｂ、ＣＰＵ１１ｃ、入出力部１１ｄ、ＥＥＰＲＯＭ１１ｅ等を備えている。この入出力部１１ｄには、車両制御用センサ１として、車速センサ１ａ、加速度センサ１ｂが接続されるとともに、燃料噴射装置等の各種のアクチュエータ１２が接続されている。
【００７５】
ｂ）次に、前記健康管理支援装置３等に行われる制御内容について説明する。
本実施例は、自動車に搭乗した被測定者に対して、適切なタイミングで身体状態を検出し、その検出結果である身体情報を適宜記憶する処理を行うものである。尚、本処理は、イグニッションキーがオンの場合に開始される。
【００７６】
図４のフローチャートに示す様に、ステップ（Ｓ）１００では、後述する身体状態の検出のタイミングの判定に使用する機器（センサ等）により、タイミングの判定に必要な計測を開始する。
【００７７】
尚、どのようなセンサを用いるかは、後に詳述する様に、どの様な判定条件にて判定するかにより異なる。例えば乗車してからの経過時間で判定する場合には、シートセンサ１ｄにより着座の有無を検出し、タイマにより着座からの時間を計測する。ここでは、例えば乗車してから３分以上経過か否かを判定の条件１とする。
【００７８】
続くステップ１１０では、車両挙動を確認する。具体的には、車速センサ９ａや加速度センサ９ｂ等の車両制御用センサ９からの情報を入力し、例えば停車中、定速走行中、加減速や旋回中などの各種の車両挙動を確認する。例えば、停車中又は定速走行中を、判定の条件２とする。
【００７９】
続くステップ１２０では、ナビゲーション情報を確認する。具体的には、ナビゲーション装置１３からの情報に基づいて、現在の走行位置やどのような道路を走行中であるかなどを確認する。例えば自宅から近距離（例えば５ｋｍ以内）を、判定の条件３とする。
【００８０】
続くステップ１３０では、上述したステップ１００、１１０、１２０等の各処理にて入力した各種の情報に基づいて、身体状態を検出するタイミングであるか否かを判定する。例えば、上記判定の条件１、２、３が、全て満たされているか否かで、身体状態を検出するタイミングであるか否かを判断する。ここで否定判断されると前記ステップ１００に戻り、一方肯定判断されるとステップ１４０に進む。
【００８１】
ステップ１４０では、身体状態を検出するタイミングに到ったので、身体状態検出用センサ１等により、身体状態を検出する。例えば後述するように、心電センサ１ａを用いて心拍数を計測する。
【００８２】
続くステップ１５０では、検出データが適当なデータか否かを判断する。つまり、測定ミスなどにより、適正なデータが得られないと困るので、ここでは、得られたデータが適正なデータであるか否かを判定する。ここで肯定判断されるとステップ１６０に進み、一方否定判断されると前記ステップ１４０に戻る。尚、所定回測定を繰り返しても、適正なデータが得られない場合は、今回データが無いものとして、このステップ１５０の処理をパスし、ステップ１６０に進む。
【００８３】
続くステップ１６０では、得られた検出結果及び測定条件を、メモリ（ＥＥＰＲＯＭ３ｄ）に記憶する。尚、測定条件としては、例えば環境温度（車室内温度）などが挙げられる。
【００８４】
続くステップ１７０では、メモリに記憶した検出結果のデータを集約する。具体的には、例えば毎日データを蓄積している場合は、一定期間より前のデータ（例えば１ヶ月より前のデータ）は１月単位で平均化して記憶する。
【００８５】
続くステップ１８０では、データをモニタ５に表示し、一旦本処理を終了する。尚、データの表示方法は、マニュアルにて適宜選択することができる。
ｃ）次に、上記各ステップでの処理内容等について、その使用機器などとともに、更に詳しく説明する。
【００８６】
(1)前記ステップ１４０にて検出する身体情報としては、体温、血圧、心拍数、脈波情報、体重、血糖値、及び体脂肪のうち少なくとも１種が挙げられる。
・体温は、赤外線を利用した非接触のサーモセンサ（温度センサ１）等を用いて検出することができる。
【００８７】
・血圧は、ＰＷＶ（脈波伝播速度）及び脈波センサにより推定される。このＰＷＶは、心電センサ１ａと（腕や指等に装着した）脈波センサ１ｂとを用いて、脈波の伝播の速度より求めることができる。
【００８８】
・心拍数は、心電センサ１ａや脈波センサ１ｂにより求めることができる。
・脈波情報（脈拍数、血管年齢等）は、脈波センサ１ｂにより求めることができる。
・体重は、シートセンサ１ｄ等により求めることができる。
【００８９】
・血糖値は、例えば指等に自動的に針を刺して僅かに血液を採集し、その血液から自動的に求めることができる。
・体脂肪は、例えばステアリング１５に装着した一対の電極１７ａ、１７ｂに接続された体脂肪計（図示せず）により、求めることができる。
【００９０】
(2)前記ステップ１３０におけるタイミングの判定条件としては、時刻、乗車してからの時間、停車してからの時間、心拍数、車両挙動、車室内温度、及びナビゲーション情報のうち、少なくとも１種を採用できる。尚、できるだけ多くの条件を組み合わせた方が、情報の精度が向上する。
【００９１】
・例えば午前中の所定時間内に測定することにより、サーカディアンリズムの影響を低減することができる。
また、異なる時間帯で身体情報を測定して複数の検出結果を記憶すれば、データを処理する際の信頼性が向上するという効果があるが、そのうち、好ましいタイミングに順位をつけて、より好ましいタイミングで得られたデータを、その日のデータとして記憶してもよい。例えば朝、昼、夜（好ましいタイミングが朝＞昼＞夜の場合）に測定して、全てのデータが得られた場合には、最も好ましい朝のデータをその日のデータとして記憶する。尚、昼と夜のデータしか得られない場合には、より好ましい方の昼のデータを、その日のデータとして記憶する。更に、最適な朝のデータが複数あった場合には、そのデータの平均値を最適なデータとして記憶する。
【００９２】
・例えば（シートセンサ１ｄから得られた）乗車してからの時間が乗車後所定時間（例えば３分）以上たった場合、または（車速センサ１ａから得られた）停車してからの時間が所定時間（例えば３分）以上になった場合に、身体情報を検出することにより、安静状態に近い状態で身体状態を検出することができる。
【００９３】
・例えば心拍数の単位時間（例えば１分）当たり変化が５％以下になった場合、身体状態を検出することにより、安定した状態での測定が可能になる。
・例えば（加速度センサ１ｂから得られた）車両の加減速や旋回等の車両挙動が所定値以下の小さい場合或いは（車速センサ１ａから得られた）車速が所定値以下の低速な場合に、身体状態を検出することにより、安定した状態での測定が可能になる。
【００９４】
・例えば車室内温度の変化が１分当たり１℃以下の小さな場合に、身体状態を検出することにより、安定した状態での測定が可能になる。
・例えば家や会社を出たところ等や、高速道路を走行中などのナビゲーション情報を得ることにより、同じ条件での測定が可能になるので、身体情報の信頼性が向上する。
【００９５】
(3)測定のタイミングが複数ある場合（条件を緩やかに設定した場合）、どのタイミングを最適と判断する条件は、時刻、ナビゲーション情報、車両挙動、心拍数、及び車室内温度のうち少なくとも１種を採用できる。従って、緩やかな条件で複数の身体情報が得られた場合には、最適なタイミングにおける情報を採用することが望ましい。
【００９６】
・例えばナビゲーション情報の場合、家に近い場合や道路が太い場合は、そうでない場合と比べて最適であるとみなすことができる。
・例えば車両挙動の場合、停車時＞定速走行中＞加減速中又は旋回中の順で、最適と見なすことができる。
【００９７】
・例えば心拍数や車室内温度は、所定の変動の範囲内である場合には、そうでない場合と比べて最適とみなすことができる。
ここで、前記タイミングを最適と判断する条件を、以前に（測定結果から）最適としたタイミングに合わせることが好ましい。
【００９８】
尚、ナビゲーション情報を用いる場合には、そのナビゲーション情報をいくつかの属性で区別する。例えば、自宅、職場、ショッピングセンター、レストラン、スポーツジム、高速道路、幹線道路、市街地、病院、及びユーザ設定場所のうち少なくとも２種の属性に区分する。これにより、どの属性での身体情報かわかるので、身体情報の意味することの理解が容易になり、その信頼性が向上する。
【００９９】
(4)測定結果をモニタ５等に表示する場合は、例えば１日、１週間、１ヶ月、半年、１年、５年、及び１０年のうち、少なくとも２種の期間を選択可能とことにより、必要に応じた測定結果が見やすくなるので好適である。
【０１００】
また、この際には、身体情報を求めた時期又は期間に応じて、集約して記憶又は表示する。この身体情報の集約方法としては、曜日、平均値との差異、時刻、ナビゲーション情報、車両挙動、心拍数、及び車室内温度のうち少なくとも１種を採用できる。
【０１０１】
・曜日で集約する場合には、同じ様な状況と考えられる、例えば月〜金のデータを集約（例えば平均）する方法が考えられる。
・平均値との差異で集約する場合には、差異が所定値より大きな場合には、異常値として排除し、所定内のデータのみで集約（例えば平均化）する。
【０１０２】
・時刻で集約する場合には、同じ様な状況と考えられる、例えば午前中のデータを集約（例えば平均）する方法が考えられる。
・ナビゲーション情報で集約する場合には、同じ様な状況と考えられる、例えば同様な場所や同様な種類の道路におけるデータを集約（例えば平均）する方法が考えられる。
【０１０３】
・車両挙動で集約する場合には、同じ様な状況と考えられる、例えば定速走行中のデータを集約（例えば平均）する方法が考えられる。
・心拍数で集約する場合には、停車中と運転中では、それぞれの状態において同じ様な状況と考えられるので、例えば心拍数が高い運転中のデータをカットし、残りのデータを集約（例えば平均）する方法が考えられる。
【０１０４】
・車室内温度で集約する場合には、同じ様な状況と考えられる所定温度範囲におけるデータを集約（例えば平均）する方法が考えられる。
つまり、例えば身体情報を求めた時期が１年より前のような古くなった場合又は期間が１年間のような長いスパンである場合には、全ての身体情報を記憶すると、データの記憶領域が大きくなり、データ処理の負担も大きくなる。その様な場合には、例えば１月毎の平均データの様にデータを要約して記憶するようにすれば、古いデータや長期間に亘るデータを要領よく記憶することができる。
【０１０５】
従って、例えば図５（ａ）に示す様に、１週間表示を行う場合には、血圧、心拍数、体重の毎日のデータを表示することができる。また、その表示を、スイッチ等によりマニュアルで、年間切り替える場合には、図５（ｂ）に示す様に、１月単位の平均値を表示することができる。
【０１０６】
(5)身体情報を記憶又は表示する際に、日々の活動量を示すデータも、同時に記憶又は表示することが望ましい。
尚、日々の活動量を示すデータは、ナビゲーション情報、加速度センサ（車両搭載の加速度センサ９ｂではなく、身体に装着した加速度センサ（図示せず））による情報、スケジュール、及び睡眠情報のうち少なくとも１種を採用できる。
【０１０７】
例えば身体に装着した加速度センサやスケジュールなどにより、日々の活動量が分かる場合には、そのデータも合わせて記憶又は表示する。
これにより、例えば血圧が高めに表示された場合に、それが活動量が多い期間であれば理解できるが、活動量が低い期間であれば、身体に何からの原因があると推定することも可能である。
【０１０８】
(6)また、車室内で得た身体情報を、車室外で得た身体情報により補正することが望ましい。
車両に搭乗中の例えば心拍数や血圧のデータは、安静時に検出したデータと異なることがあるので、安静時のデータを利用して車両に搭乗中のデータを補正する。例えば心拍数や血圧を所定割合低減する補正を行う。これにより、車両に搭乗中のデータを利用して、身体の本当の状態を把握することができる。
【０１０９】
尚、身体情報の検出対象は、運転者だけでなく、他の搭乗者であってもよい。    
また、タイミングの判定条件は、マニュアルにて変更可能であるので、より精度の高い身体情報を得ることができる。
【０１１０】
ｄ）次に、本実施例に係わる実験データについて説明する。
(1)図６は、運動後の最高血圧（ＳＢＰ）と心拍数（ＨＲ）との時間変化を調べたものである。
【０１１１】
図６では、心拍数が低下すると血圧も低下することを示している。また、心拍数の変化が５％程度に収まったところで、血圧もほぼ一定値となっていることが分かる。つまり、心拍数の変化を見れば、血圧の変化も予測することが可能であるので、心拍数の変動が少ない場合に、身体状態の検出を行えば、より安静な状態での測定が可能である。
【０１１２】
(2)図７は、温度（ＴＥＭＰ）が変化した場合の最高血圧（ＳＢＰ）の時間変化を調べたものである。
図７では、温度が低いと血圧が高くなっていることを示している。つまり、温度変化と血圧の変化に相関関係があることが分かる。従って、温度変化が少ない場合に、身体状態の検出を行えば、より安静な状態での測定が可能である。
【０１１３】
(3)図８は、温度（ＴＥＭＰ）が変化した場合の心拍数（ＨＲ）の時間変化を調べたものである。
この図８から、温度変化が激しいと、心拍数は一定値にならないことが分かる。従って、この点からも、温度変化が少ない場合に、身体状態の検出を行えば、より安静な状態での測定が可能である。
【０１１４】
(4)図９は、車速と血圧相当値（脈波伝播時間ＰＴＴ）との関係を調べたものである。尚、脈波伝播時間ＰＴＴは、脈波伝播速度ＰＷＶの逆数であり、脈波伝播時間ＰＴＴが長いほど血圧は低い。
【０１１５】
この図９から、車速と血圧とに相関関係があることが分かる。これは、加減速によるＧが人体内部の血流を動かし、結果として、測定部位の血圧を変化させたからと推測される。このことは、車速の変化があるときには、血圧などの生体量は、加減速Ｇの変化により安定して測定できないことを意味している。従って、停車中や定速走行中に、身体状態の検出を行えば、より安静な状態での測定が可能である。
【０１１６】
(5)図１０は、時間（午前と午後）による生体量、具体的には、心拍数ＨＲ、最高血圧ＳＢＰ、最低血圧ＤＢＰの変化を調べたものである。尚、最高血圧ＳＢＰ、最低血圧ＤＢＰは、血圧計にて直接に計測した。
【０１１７】
この図１０から、各生体量は、午前と午後とではその変動の状態が異なることが分かる。従って、どの身体情報としてどの生体量を用いるかによって、測定の時間を変更することが望ましい。
【０１１８】
例えば心拍数ＨＲは、午前中に測定するとその変動量が少ないが、最高血圧ＳＢＰや最低血圧ＤＢＰは、午前でも午後でもそれほど大きな変化はない。
以上詳述した様に、本実施例では、身体状態の検出に適したタイミング（外乱による影響が少なく、できるだけ安静に近い状態）を判断し、そのタイミングにて身体状態を検出するので、健康管理に必要な身体情報のばらつきが小さく、その精度が高いという効果がある。
【実施例２】
【０１１９】
次に、実施例２について説明するが、前記実施例１と同様な内容の説明は省略する。  本実施例は、ハード構成は前記実施例１と同様であるが、制御内容が異なっているので、その制御内容について説明する。
【０１２０】
本実施例は、自動車に搭乗した被測定者に対して、常時身体状態を検出するとともに、適切なタイミングでその検出結果である身体情報を記憶する処理を行うものである。
図１１のフローチャートに示す様に、イグニッションキーがオンになると、ステップ２００にて、身体状態検出用センサ１等により、常時（定期的に）身体状態を測定し、その身体情報を入手する。
【０１２１】
続くステップ２１０では、実施例１と同様な身体状態の検出のタイミングの判定に使用する機器（センサ等）により、記憶のタイミングの判定に必要な計測を開始する。
続くステップ２２０では、車両挙動を確認する。具体的には、車速センサ９ａや加速度センサ９ｂ等の車両制御用センサ９からの情報を入力し、例えば停車中、定速走行中、加減速や旋回中などの各種の車両挙動を確認する。
【０１２２】
続くステップ２３０では、ナビゲーション情報を確認する。具体的には、ナビゲーション装置１３からの情報に基づいて、現在の走行位置やどのような道路を走行中であるかなどを確認する。
【０１２３】
続くステップ２４０では、上述したステップ２１０、２２０、２３０の各処理にて入力した各種の情報に基づいて、検出した身体情報を記憶するタイミングであるか否かを判定する。ここで否定判断されると前記ステップ２００に戻り、一方肯定判断されるとステップ２５０に進む。
【０１２４】
ステップ２５０では、検出データが適当なデータか否かを判断する。ここで肯定判断されるとステップ２６０に進み、一方否定判断されると前記ステップ２００に戻る。尚、所定回測定を繰り返しても、適正なデータが得られない場合は、今回データが無いものとして、このステップ２５０の処理をパスし、ステップ２６０に進む。
【０１２５】
続くステップ２６０では、記憶するタイミングでの身体情報及び測定条件を、メモリ（ＥＥＰＲＯＭ３ｄ）に記憶する。
続くステップ２７０では、メモリに記憶した検出結果のデータを集約する。
【０１２６】
続くステップ２８０では、データをモニタ５に表示し、一旦本処理を終了する。
以上詳述した様に、本実施例では、常時、身体状態を検出しており、身体状態の記憶に適したタイミング（外乱による影響が少なく、できるだけ安静に近い状態）を判断し、そのタイミングにて身体状態を記憶するので、健康管理に必要な、ばらつきの少なく且つ精度が高い身体情報のみを、選択して記憶することができる。
【実施例３】
【０１２７】
次に、実施例３について説明するが、前記実施例１と同様な内容の説明は省略する。  本実施例は、ハード構成は前記実施例１と同様であるが、制御内容が異なっているので、その制御内容について説明する。
【０１２８】
本実施例では、身体状態の検出のタイミングに到った場合に、その旨を運転者等に報知する。
図１２のフローチャートに示す様に、ステップ３００では、身体状態の検出のタイミングの判定に使用する機器（センサ等）により、タイミングの判定に必要な計測を開始する。
【０１２９】
続くステップ３１０では、車両挙動を確認する。
続くステップ３２０では、ナビゲーション情報を確認する。
続くステップ３３０では、上述したステップ３００、３１０、３２０等の各処理にて入力した各種の情報に基づいて、身体状態を検出するタイミングであるか否かを判定する。ここで否定判断されると前記ステップ３００に戻り、一方肯定判断されるとステップ３４０に進む。
【０１３０】
ステップ３４０では、身体状態を検出するタイミングに到ったので、その旨を、モニタ５に表示したり、スピーカ７を用いて音声等で報知する。
ステップ３５０では、その報知によって、運転者等がスイッチ操作（例えばモニタ５のタッチパネル）などにより、身体状態を検出する旨の入力をしたか否かを判定する。ここで肯定判断されるとステップ３６０に進み、一方否定判断されるとステップ３４０に戻る。
【０１３１】
ステップ３６０では、身体状態を検出する入力があったので、身体状態検出用センサ１等により、身体状態を検出する。
続くステップ３７０では、検出データが適当なデータか否かを判断する。ここで肯定判断されるとステップ３８０に進み、一方否定判断されると前記ステップ３７０に戻る。尚、所定回測定を繰り返しても、適正なデータが得られない場合は、今回データが無いものとして、このステップ３７０の処理をパスし、ステップ３８０に進む。
【０１３２】
続くステップ３８０では、得られた検出結果及び測定条件を、メモリ（ＥＥＰＲＯＭ３ｄ）に記憶する。
続くステップ３９０では、メモリに記憶した検出結果のデータを集約する。
【０１３３】
続くステップ３９５は、データをモニタ５に表示し、一旦本処理を終了する。
この様に、本実施例では、身体状態の検出のタイミングに到った場合に、その旨を運転者等に報知するので、その報知を受けた運転者はマニュアルにて、身体状態の検出を指示することができる。従って、必要な場合のみ身体状態の検出を行うので、処理の負担が少ないという利点がある。
【０１３４】
尚、実施例２の様に、常時、身体情報を検出し、記憶のタイミングになった場合に、その旨を報知し、マニュアルにて指示があった場合に、（そのタイミングにおける）身体情報を記憶するようにしてもよい。
【実施例４】
【０１３５】
次に、実施例４について説明するが、前記実施例１と同様な内容の説明は省略する。  本実施例は、ハード構成は前記実施例１と同様であるが、制御内容が異なっているので、その制御内容について説明する。
【０１３６】
本実施例では、身体情報と（基準となる）過去の所定期間の身体情報とを比較し、その比較結果に基づいて、車両の制御を行う。
図１３のフローチャートに示す様に、ステップ４００では、上述した検出のタイミングにて、身体状態を検出して身体情報を得る。
【０１３７】
続くステップ４１０では、今回検出した身体情報と、過去の基準となる所定期間の身体情報（例えばその平均値）とを比較する。
続くステップ４２０では、その比較の結果、今回の身体情報が過去の身体情報に比べて異常であるか否かを判定する。例えば血圧が異常に高いか否かを判定する。ここで異常であると判断されるとステップ４３０に進み、一方否定判断されると一旦本処理を終了する。  ステップ４３０では、異常である旨を、モニタ５やスピーカ７等により、運転者等に報知する。
【０１３８】
続くステップ４４０では、運転者の身体状態が異常であると考えられるので、車両を安全側に制御する。例えば速度を低下させたり、制動性能を高める等の制御を行い、一旦本処理を終了する。
【０１３９】
この様に、本実施例では、車両の搭乗中に得られた身体情報が過去の身体情報と比べて異常である場合には、車両を安全側に制御するので、安全性が向上するという利点がある。
【０１４０】
尚、本発明は上記実施形態に限定されるものではなく、様々な態様にて実施することが可能である。
【図面の簡単な説明】
【０１４１】
【図１】実施例１の健康管理支援システム等の全体構成を示す説明図である。
【図２】健康管理支援装置の電気的構成を示す説明図である。
【図３】車両制御装置の電気的構成を示す説明図である。
【図４】実施例１の制御処理を示すフローチャートである。
【図５】モニタの表示を示す説明図である。
【図６】運動後の最高血圧と心拍数の時間変化を示すグラフである。
【図７】温度変化による最高血圧の時間変化を示すグラフである。
【図８】温度変化による心拍数の時間変化を示すグラフである。
【図９】車速と血圧との関係を示すグラフである。
【図１０】時間による生体量の変化を示すグラフである。
【図１１】実施例２の制御処理を示すフローチャートである。
【図１２】実施例３の制御処理を示すフローチャートである。
【図１３】実施例４の制御処理を示すフローチャートである。
【符号の説明】
【０１４２】
１…健康管理用センサ
３…健康管理支援装置
５…モニタ
７…スピーカ
９…車両制御用センサ
１１…車両制御装置
１３…ナビゲーション装置
【図１】
0004802842.tif 000002
【図２】
0004802842.tif 000003
【図３】
0004802842.tif 000004
【図４】
0004802842.tif 000005
【図５】
0004802842.tif 000006
【図６】
0004802842.tif 000007
【図７】
0004802842.tif 000008
【図８】
0004802842.tif 000009
【図９】
0004802842.tif 000010
【図１１】
0004802842.tif 000011
【図１２】
0004802842.tif 000012
【図１３】
0004802842.tif 000013
【図１０】
0004802842.tif 000014